(57)【要約】【課題】卓上型顕微鏡程度に小型化されており、ガラスチップ内等の微小領域の化学反応の検出を、任意の場所で、より簡便に実施することが可能であるデスクトップ熱レンズ顕微鏡を提供する。【解決手段】光学顕微鏡に励起光と検出光を入射し、励起光が試料中に照射されることにより形成される熱レンズに検出光を入射し、熱レンズによる検出光の拡散を測定することにより試料中の物質の検出を行う熱レンズ顕微鏡であって、励起光源および検出光源として半導体レーザー等の小型レーザー光源を備え、励起光源系（Ｐ）、検出光源系（Ｑ）および熱レンズ顕微鏡光学系（Ｒ，Ｓ，Ｔ）を単一器体に一体化する【選択図】図１
2005164614.tif 000002
【特許請求の範囲】
【請求項１】
光学顕微鏡に励起光と検出光を入射し、励起光が試料中に照射さ
れることにより形成される熱レンズに検出光を入射し、熱レンズによる検出光の
拡散を測定することにより試料中の物質の検出を行う熱レンズ顕微鏡であって、
励起光源および検出光源としての小型レーザー光源を備え、励起光源、検出光源
および熱レンズ顕微鏡光学系が単一器体に装着一体化されていることを特徴とす
るデスクトップ熱レンズ顕微鏡装置。
【請求項２】
請求項１記載のデスクトップ熱レンズ顕微鏡であって、ロックイ
ンアンプ信号処理をおこなうためにチョッパを備え、その駆動をＰＬＬ制御し励
起光の変調を行う変調機構を有していることを特徴とするデスクトップ熱レンズ
顕微鏡装置。
【請求項３】
請求項１記載のデスクトップ熱レンズ顕微鏡であって、回折格子
を備え、これにより検出光と励起光の分離を行い、検出光のみ抽出することを特
徴とするデスクトップ熱レンズ顕微鏡装置。
【請求項４】
請求項１ないし３のいずれかのデスクトップ熱レンズ顕微鏡を用
いてチップ上の微小空間における超微量の化学分析を行うことを特徴とする化学
分析方法。
【発明の詳細な説明】
【技術分野】
【０００１】
この出願の発明は、デスクトップ熱レンズ顕微鏡に関するものである。さらに
詳しくは、この出願の発明は、微小空間内において精度の高い超微小粒子分析が
可能であり、また、卓上型であり、任意の場所での簡便な測定が可能である、デ
スクトップ熱レンズ顕微鏡に関するものである。
【背景技術】
【０００２】
半導体や生体、機能材料などのマイクロオーダーを扱う先端科学技術の研究開
発や製造において、化学反応をガラスチップ上等の微小空間で行い分析などに利
用するための化学反応の集積化技術は、化学反応の高速性、必要試料の極少性な
どの利点により、オンサイト分析の拡大が期待でき、世界的に研究が進められて
いる。微小空間内での吸光度分析をコンパクトな分析機器で実施することが可能
となれば、集積化したシステムのスケールメリットにより、分析作業の機動性が
飛躍的に高まり、効率的かつ汎用的な化学分析システムの集積化が実現されるこ
とが期待されている。
【０００３】
一方、この出願の発明者らによって、液中試料の光吸収により発生する熱レン
ズ効果を利用した光熱変換吸光分析器の研究開発がなされ、従来技術の改善に関
して多くの成果が見出され、実用化への道が開かれた。この熱レンズ効果を利用
した光熱変換吸光分析器のコンパクト化に関して、一部の研究室レベルでの研究
開発がなされているものの、これらの研究は限られた分析を目的としており、汎
用性の高い熱レンズ効果を利用した光熱変換吸光分析器としては、励起光源や検
出光源にガスレーザーが広く用いられており、測定部や検出部（光電変換部）の
光学系は光学ベースによる複雑なシステムアップがなされているため、大型であ
り可搬性に欠け、この光熱変換吸光分析器を利用した分析実験の実施場所を限定
する要因となっている。熱レンズ効果を利用した光熱変換吸光分析器は、分析可
能な対象が広いことなどの多くの利点を持つことから、汎用性の高い小型化、特
に卓上型化が強く期待されている。
【発明の開示】
【発明が解決しようとする課題】
【０００４】
この出願の発明は、以上の通りの事情に鑑みてなされたものであり、卓上型顕
微鏡程度に小型化されており、ガラスチップ内等での化学反応の検出を、任意の
場所で、より簡便に実施することが可能であるデスクトップ熱レンズ顕微鏡を提
供することを課題としている。
【課題を解決するための手段】
【０００５】
この出願の発明は、上記の課題を解決するものとして、光学顕微鏡に励起光と
検出光を入射し、励起光が試料中に照射されることにより形成される熱レンズに
検出光を入射し、熱レンズによる検出光の拡散を測定することにより試料中の物
質の検出を行う熱レンズ顕微鏡であって、励起光源および検出光源としての小型
レーザー光源を備え、励起光源、検出光源および熱レンズ顕微鏡光学系が単一器
体に装着一体化されていることを特徴とするデスクトップ熱レンズ顕微鏡装置を
提供する（請求項１）。
【０００６】
また、この出願の発明は、上記のデスクトップ熱レンズ顕微鏡について、ロッ
クインアンプ信号処理をおこなうためにチョッパを備え、その駆動をＰＬＬ制御
し励起光の変調を行う変調機構を有していることを特徴とするデスクトップ熱レ
ンズ顕微鏡（請求項２）とともに、回折格子をを備え、これにより検出光と励起
光の分離を行い、検出光のみ摘出することを特徴とするデスクトップ熱レンズ顕
微鏡（請求項３）を提供する。
【０００７】
さらに、この出願の発明は、上記のデスクトップ熱レンズ顕微鏡を用いてチッ
プ上の微小空間における超微量の化学分析を行うことを特徴とする化学分析方法
を提供する（請求項４）。
【発明の効果】
【０００８】
この出願の発明により、小型で可搬性があり、かつ、空間分解能や定量分析能
力に優れた超微量分析顕微鏡が実現する。この出願の発明のデスクトップ熱レン
ズ顕微鏡装置により、微小空間内における化学分析を実施することが可能となり
、化学反応の高速性、必要試料の極少性などの利点により、分析作業の機動性が
飛躍的に高まり、効率的かつ汎用的な化学分析システムの集積化が実現されるこ
とが期待されている。
【発明を実施するための最良の形態】
【０００９】
この出願の発明においては、上記のとおり、励起光源および検出光源として小
型レーザー光源を備え、励起光源、検出光源および熱レンズ顕微鏡光学系を単一
器体に装着一体化することにより、コンパクトな機構を持つデスクトップ熱レン
ズ顕微鏡装置を実現する。
【００１０】
図１および図２は、この出願の発明のデスクトップ熱レンズ顕微鏡装置の構成
例を示す光学系ブロック図である。
【００１１】
この出願の発明のデスクトップ熱レンズ顕微鏡装置においては、図１に例示し
たように、デスクトップ型の顕微鏡のように単一の器体に全ての要素を装着一体
化している。
【００１２】
この場合の要素は、励起光源系（Ｐ）、検出光源系（Ｑ）とともに、顕微鏡光
学系としての対物レンズ系（Ｒ）、コンデンサレンズ系（Ｓ）、受光系（Ｔ）に
より基本的に構成されている。
【００１３】
なお、この発明において、「単一器体」との規定は、上記要素が配設される器
体が素材の構成として本来的に単一のものに限定されることを意味していない。
「単一器体」とは、複数個のパーツ（部分）が空間位置を離間されて配置されて
いるものでないことを意味しているのである。
【００１４】
従って、たとえば励起光源系（Ｐ）、検出光源系（Ｑ）、受光系（Ｔ）等の要
素は、ねじ止め構造、係止構造、嵌合構造、スライド構造等によって一体化連結
されていればよいのである。
【００１５】
そこで、図２に沿って、さらに詳しく具体例を説明すると、励起光は励起光源
（１）から出力される。励起光源（１）には小型の半導体レーザーをはじめ、半
導体レーザー励起固体レーザーやガスレーザーのような小型レーザー光源の各種
のものが用いられる。励起光源（１）から出力された励起光は、チョッパ（２）
によって変調され、さらに、ビームエキスパンダー（３）により平面波として射
出される。この出願の発明のデスクトップ熱レンズ顕微鏡装置においては、好適
には、ロックインアンプにより信号処理をおこなうために、チョッパを備え、そ
の駆動はＰＬＬ制御され、励起光の変調が行われる。ビームエキスパンダー（３
）は、Ａの方向にコリメーション調整が可能である。また、ビームエキスパンダ
ー（３）は、Ｂの方向に２軸の芯出調整が可能である。
【００１６】
一方、励起光源（１）と同様に小型レーザー光源である検出光源（４）から出
力された検出光は、コリメーターレンズ（５）により平行な光線束として射出さ
れ、ダイクロックミラー（６）により、励起光と同軸にて合成される。検出光は
、コリメーターレンズ（５）の２軸移動により、芯出調整が可能である。励起光
と検出光とは波長が異なり、ここでは検出光の波長の方が励起光の波長より長い
ものとする。
【００１７】
励起光と検出光からなる合成光は、ビームスプリッタ（７）によって反射され
、対物レンズ（８）を通過し、ステージに設置された試料チップ（９）に照射さ
れる。試料内部においては、合成光を構成する励起光の一部により光熱変換現象
に基づき熱レンズが形成され、熱レンズを通過した検出光は拡散し、光熱変換に
関わらなかった励起光とともに試料中を透過する。原理的には励起光も熱レンズ
の影響を受けるが、検出光に比べてわずかである。ステージは、装置を小型にす
るため対物レンズに隣接しており、また、位置が固定されている。
【００１８】
試料チップ（９）からの透過光は、コンデンサレンズ（１０）によって、光軸
方向の調整がなされ、平行光としてミラー（１１）によってダイクロイックミラ
ー（１７）に入力される。ダイクロイックミラー（１７）によって励起光の波長
を持つ成分は反射され、検出光の波長以上の成分が透過する。この透過光は、ピ
ンホール（１５）で結像するように設定された集光レンズ（１２）で絞られ、ア
パーチャ（１３）を通過して、干渉フィルタ（１４）へ入力される。干渉フィル
タ（１４）では、検出光のみが透過し、ピンホール（１５）を通過し、フォトデ
ィテクター（１６）に入力され電気信号に変換される。電気信号は、ロックイン
アンプに入力され、チョッパ（２）を制御するチョッパ制御装置からのリファレ
ンス信号と併せて計測される。ロックインアンプから出力される計測結果を示す
信号は、コンピュータに入力され、試料チップ（９）の分析がなされる。
【００１９】
この出願の発明の熱レンズ顕微鏡装置においては、単一器体に光源光学系を一
体化していることから振動ノイズを減少させ、その光学系の構成により励起光出
力の効率的利用が可能となり、ストレー光の削減が図られる。
【００２０】
これにより、Ｓ／Ｎが向上される。また、チョッパーによりロックインアンプ
処理の精度向上と、熱レンズ信号の位置情報取得が可能となる。
【００２１】
なお、光源については、波長選択が可能とされてよく、半導体レーザー等の小
型レーザー光源が交換可能とされてよい。
【００２２】
さらにまた、この発明のデスクトップ熱レンズ顕微鏡装置においては、回折格
子を用いて検出光と励起光の分離を行い、検出光のみ摘出することも可能である
。フィルタを用いた場合には、検出光にノイズが残留することが問題となってい
たが、回折格子を用いることにより低ノイズで検出感度（Ｓ／Ｎ）を高くし、被
測定物の検出精度を向上させることが可能となる。
【００２３】
この出願の発明は、以上の特徴を持つものであるが、以下に実施例を示し、さ
らに具体的に説明する。
【実施例】
【００２４】
図１および図２に例示したデスクトップ熱レンズ顕微鏡装置を試作し、窒素酸
化物（ＮＯ、ＮＯ2）の定量分析を実施した。
【００２５】
試作したデスクトップ熱レンズ顕微鏡装置に関しては、励起光には波長５３２
ｎｍ、出力１００ｍＷの半導体ＹＡＧレーザー（第２高調波）を、また、検出光
には波長６８０ｎｍ、出力５ｍＷの半導体レーザーを用いた。変調周波数を安定
させるために、チョッパの駆動回路にはＰＬＬ制御を適用した。
【００２６】
窒素酸化物の定量分析に関しては、アルカリ性（ｐＨ１３）の過酸化水素水溶
液にタバコ煙中の窒素酸化物を亜硝酸イオンとして酸化吸収させ、発色試薬であ
るＮ−１−ナフチルエチレンジアミント反応させて、赤紫色（ピーク吸光度波長５
４５ｎｍ）に呈色させる。これを、ガラスチップ内のチャンネルに導入して熱レ
ンズ顕微鏡で検出を行った。なお、チョッパによる変調周波数は９３７Ｈｚであ
った。
【００２７】
その結果、従来の熱レンズ顕微鏡装置と同様に窒素酸化物の定量分析を実施す
ることができた。従来の熱レンズ顕微鏡装置（Ｗ１５０×Ｄ１００×Ｈ８０（ｃ
ｍ））と比較して、試作した熱レンズ顕微鏡装置（Ｗ３０×Ｄ５０×Ｈ５０（ｃ
ｍ））は十分な小型がなされたと考えられる。
【００２８】
また、小型化の際に、励起光源、検出光源および熱レンズ顕微鏡光学系を一体
化したことにより、振動等の外来ノイズを軽減する効果を得ることができ、測定
における耐環境性の高いデスクトップ熱レンズ顕微鏡装置が実現した。
【図面の簡単な説明】
【００２９】
【図１】この出願の発明の熱レンズ顕微鏡超微量分析装置の構成例を示した図である。
【図２】図１の装置例のさらに詳細な光学系ブロック図である。
【符号の説明】
【００３０】
Ｐ  励起光学源系
Ｑ  検出光源系
Ｒ  対物レンズ系
Ｓ  コンデンサレンズ系
Ｔ  受光系
１  励起光源
２  チョッパ
３  ビームエキスパンダー
４  検出光源
５  コリメーターレンズ
６  ダイクロックミラー
７  ビームスプリッタ
８  対物レンズ
９  試料チップ
１０  コンデンサレンズ
１１  ミラー
１２  集光レンズ
１３  アパーチャ
１４  干渉フィルタ
１５  ピンホール
１６  フォトディテクター
１７  ダイクロイックミラー
【図１】
2005164614.tif 000003
【図２】
2005164614.tif 000004